【手続補正書】
【提出日】平成26年4月25日(2014.4.25)
【手続補正１】
【補正対象書類名】明細書
【補正対象項目名】０００８
【補正方法】変更
【補正の内容】
【０００８】
そのために本発明は、インクを吐出するためのノズル列を記録媒体に対して相対的に移動させながら記録データにしたがって前記ノズル列からインクを吐出し、前記記録媒体上の単位領域に対するＭ回の移動によって前記単位領域に画像を記録するために、前記Ｍ回の移動それぞれでの記録に用いられるＭ個の前記記録データを多値の画像データに基づいて生成する画像処理装置であって、前記画像データに基づいて前記単位領域に吐出されるインクの吐出量に関する情報を取得する取得手段と、前記取得手段により取得された前記情報が示すインクの吐出量に基づいて、前記画像データから前記Ｍ個の記録データを生成する生成手段と、を有し、前記生成手段は、前記取得手段により取得された前記情報が示すインクの吐出量が第１の量である場合、（ｉ）前記Ｍ回の移動のうちの１回目の前記移動による記録における記録率と、Ｍ回目の前記移動による記録における記録率と、がそれぞれＫ（Ｋは０＜Ｋ＜Ｍを満たす１つの自然数）回目の前記移動による記録における記録率よりも小さく、且つ、（ｉｉ）前記Ｍ回の移動それぞれによる記録における記録率のそれぞれが０％よりも大きくなるように、前記Ｍ個の記録データを生成し、前記取得手段により取得された前記情報が示すインクの吐出量が前記第１の量よりも多い第２の量である場合、（ｉｉｉ）前記Ｍ回の移動のうちの１回目の前記移動による記録における記録率と、Ｍ回目の前記移動による記録における記録率と、がそれぞれ前記Ｋ回目の移動による記録における記録率よりも小さく、且つ、（ｉｖ）前記Ｍ回の移動のうちのＬ（Ｌは０＜Ｌ＜Ｍ且つＬ≠Ｋを満たす１つの自然数）回目の前記移動による記録における記録率が前記Ｌ回目の移動以外のＬ−１回の前記移動それぞれによる記録における記録率のそれぞれよりも小さくなるように、前記Ｍ個の記録データを生成することを特徴とする。
【手続補正２】
【補正対象書類名】特許請求の範囲
【補正対象項目名】全文
【補正方法】変更
【補正の内容】
【特許請求の範囲】
【請求項１】
インクを吐出するためのノズル列を記録媒体に対して相対的に移動させながら記録データにしたがって前記ノズル列からインクを吐出し、前記記録媒体上の単位領域に対するＭ回の移動によって前記単位領域に画像を記録するために、前記Ｍ回の移動それぞれでの記録に用いられるＭ個の前記記録データを多値の画像データに基づいて生成する画像処理装置であって、
前記画像データに基づいて前記単位領域に吐出されるインクの吐出量に関する情報を取得する取得手段と、
前記取得手段により取得された前記情報が示すインクの吐出量に基づいて、前記画像データから前記Ｍ個の記録データを生成する生成手段と、を有し、
前記生成手段は、
前記取得手段により取得された前記情報が示すインクの吐出量が第１の量である場合、（ｉ）前記Ｍ回の移動のうちの１回目の前記移動による記録における記録率と、Ｍ回目の前記移動による記録における記録率と、がそれぞれＫ（Ｋは０＜Ｋ＜Ｍを満たす１つの自然数）回目の前記移動による記録における記録率よりも小さく、且つ、（ｉｉ）前記Ｍ回の移動それぞれによる記録における記録率のそれぞれが０％よりも大きくなるように、前記Ｍ個の記録データを生成し、
前記取得手段により取得された前記情報が示すインクの吐出量が前記第１の量よりも多い第２の量である場合、（ｉｉｉ）前記Ｍ回の移動のうちの１回目の前記移動による記録における記録率と、Ｍ回目の前記移動による記録における記録率と、がそれぞれ前記Ｋ回目の移動による記録における記録率よりも小さく、且つ、（ｉｖ）前記Ｍ回の移動のうちのＬ（Ｌは０＜Ｌ＜Ｍ且つＬ≠Ｋを満たす１つの自然数）回目の前記移動による記録における記録率が前記Ｌ回目の移動以外のＬ−１回の前記移動それぞれによる記録における記録率のそれぞれよりも小さくなるように、前記Ｍ個の記録データを生成することを特徴とする画像処理装置。
【請求項２】
前記生成手段は、前記取得手段により取得された前記情報が示すインクの吐出量が前記第２の量である場合、前記Ｍ回の移動のうちの前記Ｌ回目の移動による記録における記録率が（１／Ｍ）×０．１×１００％以下となるように、前記Ｍ個の記録データを生成することを特徴とする請求項１に記載の画像処理装置。
【請求項３】
前記生成手段は、前記取得手段により取得された前記情報が示すインクの吐出量が前記第２の量である場合、前記Ｍ回の移動のうちの前記Ｌ回目の移動による記録における記録率が０％となるように、前記Ｍ個の記録データを生成することを特徴とする請求項２に記載の画像処理装置。
【請求項４】
前記１回目の移動からＬ−１回目の前記移動までのＬ−１回の前記移動による記録におけるそれぞれの記録率の和は、ほぼ５０％であることを特徴とする請求項１から３のいずれか１項に記載の画像処理装置。
【請求項５】
前記Ｌは、Ｍ／２≦Ｌ＜Ｍを満たす自然数であることを特徴とする請求項１から４のいずれか１項に記載の画像処理装置。
【請求項６】
前記Ｌ回目の移動は、前記Ｍ回の移動のうちのＭ−１回目の前記移動であることを特徴とする請求項４に記載の画像処理装置。
【請求項７】
前記生成手段は、前記取得手段により取得された前記情報が示すインクの吐出量が前記第１の量である場合、前記１回目の移動による記録における記録率と、前記Ｍ回目の移動による記録における記録率と、が前記Ｍ回の移動のうちの前記１回目の移動および前記Ｍ回目の移動以外のＭ−２回の前記移動それぞれによる記録における記録率のそれぞれよりも小さくなるように、前記Ｍ個の記録データを生成することを特徴とする請求項１から６のいずれか１項に記載の画像処理装置。
【請求項８】
前記生成手段は、
前記画像データを２値化し、２値のドットデータを生成する２値化手段と、
それぞれ前記ドットデータの記録を許容する記録許容画素と前記ドットデータの記録を許容しない非記録許容画素が配置された、前記Ｍ回の移動のそれぞれに対応するＭ個のマスクパターンのそれぞれによって、前記量子化手段により生成された前記ドットデータを前記Ｍ回の移動のそれぞれに分配することにより前記Ｍ個の記録データを生成する分配手段と、を有することを特徴とする請求項１から７のいずれか１項に記載の画像処理装置。
【請求項９】
前記取得手段により取得された前記情報が示すインクの吐出量が前記第１の量である場合にＭ個の第１の前記マスクパターンを選択し、前記取得手段により取得された前記情報が示すインクの吐出量が前記第２の量である場合にＭ個の第２の前記マスクパターンを選択する選択手段を更に有し、
前記分配手段は、前記選択手段により選択された前記Ｍ個の第１のマスクパターンと前記Ｍ個の第２のマスクパターンのいずれかを用いて前記ドットデータの分配を行い、
前記Ｍ個の第１のマスクパターンは、（ｉ）前記１回目の移動に対応する前記第１のマスクパターンにおける記録許容率と、前記Ｍ回目の移動に対応する前記第１のマスクパターンにおける記録許容率と、がそれぞれ前記Ｋ回目の移動に対応する前記第１のマスクパターンにおける記録許容率よりも小さく、（ｉｉ）前記Ｍ個の第１のマスクパターンのそれぞれにおける記録許容率が０％よりも大きくなるように、前記記録許容画素が配置され、
前記Ｍ個の第２のマスクパターンは、（ｉｉｉ）前記１回目の移動に対応する前記第２のマスクパターンにおける記録許容率と、前記Ｍ回目の移動に対応する前記第２のマスクパターンにおける記録許容率と、がそれぞれ前記Ｋ回目の移動に対応する前記第２のマスクパターンにおける記録許容率よりも小さく、（ｉｖ）前記Ｌ回目の移動に対応する前記第２のマスクパターンにおける記録許容率が前記Ｌ回目の移動に対応する前記第２のマスクパターン以外のＭ−１個の前記第２のマスクパターンのそれぞれにおける記録許容率よりも小さくなるように、前記記録許容画素が配置されていることを特徴とする請求項８に記載の画像処理装置。
【請求項１０】
前記Ｍ個の第１のマスクパターンは、それぞれ互いに排他的且つ補完的な位置に前記記録許容画素が配置され、前記Ｍ個の第２のマスクパターンは、それぞれ互いに排他的且つ補完的な位置に前記記録許容画素が配置されていることを特徴とする請求項９に記載の画像処理装置。
【請求項１１】
前記量子化手段は、前記単位領域内の複数の画素に関し、ドットを記録する画素領域に対応する記録画素とドットを記録しない画素領域に対応する非記録画素が配置されたドットパターンによって、前記画像データを量子化することにより前記ドットデータを生成することを特徴とする請求項８に記載の画像処理装置。
【請求項１２】
前記取得手段により取得された前記情報が示すインクの吐出量が前記第１の量である場合に第１の前記ドットパターンを選択し、前記取得手段により取得された前記情報が示すインクの吐出量が前記第２の量である場合に第２の前記ドットパターンを選択する選択手段を更に有し、
前記量子化手段は、前記選択手段により選択された前記第１のドットパターンと前記第２のドットパターンのいずれかを用いて前記画像データの量子化を行い、
前記第１のドットパターンは、（ｉ）前記１回目の移動に対応する前記マスクパターンに配置された前記記録許容画素と対応する位置に配置された前記第１のドットパターン内の前記記録画素の数と、前記Ｍ回目の移動に対応する前記マスクパターンに配置された前記記録許容画素と対応する位置に配置された前記第１のドットパターン内の前記記録画素の数と、はそれぞれ前記Ｋ回目の移動に対応する前記マスクパターンに配置された前記記録許容画素と対応する位置に配置された前記第１のドットパターン内の前記記録画素の数よりも少なく、且つ、（ｉｉ）前記Ｍ個のマスクパターンのそれぞれに配置された前記記録許容画素と対応する位置に配置された前記第１のドットパターン内の前記記録画素の数は、前記Ｍ個のマスクパターンのいずれに関しても０ではないように、前記記録画素が配置され、
前記第２のドットパターンは、（ｉｉｉ）前記１回目の移動に対応する前記マスクパターンに配置された前記記録許容画素と対応する位置に配置された前記第２のドットパターン内の前記記録画素の数と、前記Ｍ回目の移動に対応する前記マスクパターンに配置された前記記録許容画素と対応する位置に配置された前記第２のドットパターン内の前記記録画素の数と、はそれぞれ前記Ｋ回目の移動に対応する前記マスクパターンに配置された前記記録許容画素と対応する位置に配置された前記第２のドットパターン内の前記記録画素の数よりも少なく、（ｉｖ）前記Ｌ回目の移動に対応する前記マスクパターンに配置された前記記録許容画素と対応する位置に配置された前記第２のドットパターン内の前記記録画素の数は、前記Ｌ回目の移動に対応する前記マスクパターン以外のＭ−１個の前記マスクパターンのそれぞれに配置された前記記録許容画素と対応する位置に配置された前記第２のドットパターン内の前記記録画素の数のいずれよりも少なくなるように、前記記録画素が配置されていることを特徴とする請求項１１に記載の画像処理装置。
【請求項１３】
インクを吐出するためのノズル列を記録媒体に対して相対的に移動させながら２値の記録データにしたがって前記ノズル列からインクを吐出し、前記記録媒体の単位領域に対するＭ回の移動によって前記単位領域に画像を記録するために、前記Ｍ回の移動それぞれでの記録に用いられるＭ個の前記記録データを多値の画像データに基づいて生成する生成手段を有する画像処理装置であって、
前記生成手段は、（ｉ）前記Ｍ回の移動のうちの１回目の前記移動による記録における記録率と、Ｍ回目の前記移動による記録における記録率と、がそれぞれＮ（Ｎは（Ｍ−１）／２≦Ｎ≦Ｍ／２を満たす１つの自然数）回目の前記移動による記録における記録率よりも小さく、且つ、（ｉｉ）前記Ｍ回の移動のうちのＬ、Ｌ＋１（ＬはＭ／２＜Ｌ＜Ｍを満たす１つの自然数）回目の前記移動それぞれによる記録における記録率のそれぞれがほぼ０となるように、前記Ｍ個の記録データを生成することを特徴とする画像処理装置。
【請求項１４】
インクを吐出するためのノズル列を記録媒体に対して相対的に移動させながら記録データにしたがって前記ノズル列からインクを吐出し、前記記録媒体上の単位領域に対するＭ回の移動によって前記単位領域に画像を記録するために、前記Ｍ回の移動それぞれでの記録に用いられるＭ個の前記記録データを多値の画像データに基づいて生成する画像処理方法であって、
前記画像データに基づいて前記単位領域に吐出されるインクの吐出量に関する情報を取得し、
取得された前記情報が示すインクの吐出量に基づいて、前記画像データから前記Ｍ個の記録データを生成し、
取得された前記情報が示すインクの吐出量が第１の量である場合、（ｉ）前記Ｍ回の移動のうちの１回目の前記移動による記録における記録率と、Ｍ回目の前記移動による記録における記録率と、がそれぞれＫ（Ｋは０＜Ｋ＜Ｍを満たす１つの自然数）回目の前記移動による記録における記録率よりも小さく、且つ、（ｉｉ）前記Ｍ回の移動それぞれによる記録における記録率のそれぞれが０％よりも大きくなるように、前記Ｍ個の記録データを生成し、
取得された前記情報が示すインクの吐出量が前記第１の量よりも多い第２の量である場合、（ｉｉｉ）前記Ｍ回の移動のうちの１回目の前記移動による記録における記録率と、Ｍ回目の前記移動による記録における記録率と、がそれぞれ前記Ｋ回目の移動による記録における記録率よりも小さく、且つ、（ｉｖ）前記Ｍ回の移動のうちのＬ（Ｌは０＜Ｌ＜Ｍ且つＬ≠Ｋを満たす１つの自然数）回目の前記移動による記録における記録率が前記Ｌ回目の移動以外のＬ−１回の前記移動それぞれによる記録における記録率のそれぞれよりも小さくなるように、前記Ｍ個の記録データを生成することを特徴とする画像処理方法。
【請求項１５】
画像を記録するための画像記録装置であって、
インクを吐出するためのノズル列を記録媒体に対して相対的に移動させながら記録データにしたがって前記ノズル列からインクを吐出し、前記記録媒体上の単位領域に対するＭ回の移動によって前記単位領域に画像を記録する記録手段と、
前記画像データに基づいて前記単位領域に吐出されるインクの吐出量に関する情報を取得する取得手段と、
前記取得手段により取得された前記情報が示すインクの吐出量に基づいて、多値の画像データから前記Ｍ回の移動それぞれでの記録に用いられるＭ個の前記記録データを生成する生成手段と、を有し、
前記生成手段は、
前記取得手段により取得された前記情報が示すインクの吐出量が第１の量である場合、（ｉ）前記Ｍ回の移動のうちの１回目の前記移動による記録における記録率と、Ｍ回目の前記移動による記録における記録率と、がそれぞれＫ（Ｋは０＜Ｋ＜Ｍを満たす１つの自然数）回目の前記移動による記録における記録率よりも小さく、且つ、（ｉｉ）前記Ｍ回の移動それぞれによる記録における記録率のそれぞれが０％よりも大きくなるように、前記Ｍ個の記録データを生成し、
前記取得手段により取得された前記情報が示すインクの吐出量が前記第１の量よりも多い第２の量である場合、（ｉｉｉ）前記Ｍ回の移動のうちの１回目の前記移動による記録における記録率と、Ｍ回目の前記移動による記録における記録率と、がそれぞれ前記Ｋ回目の移動による記録における記録率よりも小さく、且つ、（ｉｖ）前記Ｍ回の移動のうちのＬ（Ｌは０＜Ｌ＜Ｍ且つＬ≠Ｋを満たす１つの自然数）回目の前記移動による記録における記録率が前記Ｌ回目の移動以外のＬ−１回の前記移動それぞれによる記録における記録率のそれぞれよりも小さくなるように、前記Ｍ個の記録データを生成することを特徴とする画像記録装置。